(57)【要約】【課題】被検眼の深さ方向が異なる複数の断層画像を撮影してその合成断層画像を生成する際に、合成断層画像に層の折り返しが生じることを抑制できる仕組みを提供する。【解決手段】参照光の光路長と一致する測定光の光路長の位置を、被検眼の第１の撮影範囲Ｃａにおける被検眼の深さ方向（Ｚ方向）の深い側に設定して、第１の撮影範囲Ｃａに係る第１の断層画像を撮影し、また、参照光の光路長と一致する測定光の光路長の位置を、第１の撮影範囲ＣａよりもＺ方向の浅い側に位置し且つ第１の撮影範囲ＣａとＺ方向の深い側で一部重複する領域ｗを有する第２の撮影範囲ＣｂにおけるＺ方向の浅い側に設定して、第２の撮影範囲Ｃｂに係る第２の断層画像を撮影する。その上で、第１の断層画像と第２の断層画像とを合成して合成断層画像を生成する。【選択図】図７
2018201567.tif 000002
【特許請求の範囲】
【請求項１】
光源から出射された光が測定光と参照光とに分岐された後、前記測定光を被検眼に照射して得られる戻り光と前記参照光とを合波して干渉光を得る合波手段と、
前記参照光の光路長と一致する前記測定光の光路長の位置を、前記被検眼の第１の撮影範囲における前記被検眼の深さ方向の深い側に設定し、前記干渉光に基づいて前記第１の撮影範囲に係る第１の断層画像を撮影する制御を行う第１の撮影制御手段と、
前記参照光の光路長と一致する前記測定光の光路長の位置を、前記第１の撮影範囲よりも前記深さ方向の浅い側に位置し且つ前記第１の撮影範囲と前記深さ方向の深い側で一部重複する第２の撮影範囲における前記深さ方向の浅い側に設定し、前記干渉光に基づいて前記第２の撮影範囲に係る第２の断層画像を撮影する制御を行う第２の撮影制御手段と、
前記第１の断層画像と前記第２の断層画像とを合成して合成断層画像を生成する合成手段と、
を有することを特徴とする眼科装置。
【請求項２】
前記第２の撮影制御手段は、前記第１の断層画像が撮影された後に前記第２の断層画像を撮影する制御を行うことを特徴とする請求項１に記載の眼科装置。
【請求項３】
前記第２の撮影制御手段は、前記第１の断層画像で得られた層の位置に応じて、前記第２の撮影範囲を前記第１の撮影範囲に対して前記深さ方向と直交する方向に移動することを特徴とする請求項２に記載の眼科装置。
【請求項４】
前記第１の断層画像で得られた層に前記深さ方向と直交する方向において傾きがある場合、前記第１の断層画像から前記傾きが無くなるように前記層を含む画像領域を切り出す画像切出手段を更に有し、
前記第２の撮影制御手段は、前記画像切出手段により切り出された画像領域に基づいて前記第２の撮影範囲を設定し、
前記合成手段は、前記画像領域に係る断層画像と前記第２の断層画像とを合成して前記合成断層画像を生成することを特徴とする請求項２に記載の眼科装置。
【請求項５】
前記第２の撮影制御手段の制御により前記第２の断層画像を撮影する際に、前記第１の断層画像で得られた層の位置に応じて当該第２の断層画像の撮影位置を案内する撮影ガイドを表示する制御を行う表示制御手段を更に有することを特徴とする請求項２に記載の眼科装置。
【請求項６】
前記表示制御手段は、前記第２の撮影範囲の前記一部重複する領域に前記撮影ガイドを表示する制御を行うことを特徴とする請求項５に記載の眼科装置。
【請求項７】
前記第２の撮影制御手段は、前記第１の断層画像で得られた層の位置に応じて、前記第２の撮影範囲を前記第１の撮影範囲に対して前記深さ方向と直交する方向に移動し、
前記表示制御手段は、前記第２の撮影制御手段による前記第２の撮影範囲の移動に応じて前記撮影ガイドを表示する制御を行うことを特徴とする請求項５または６に記載の眼科装置。
【請求項８】
前記第１の断層画像で得られた層に前記深さ方向と直交する方向において傾きがある場合、前記第１の断層画像から前記傾きが無くなるように前記層を含む画像領域を切り出す画像切出手段を更に有し、
前記第２の撮影制御手段は、前記画像切出手段により切り出された画像領域に基づいて前記第２の撮影範囲を設定し、
前記表示制御手段は、当該設定された第２の撮影範囲に応じて前記撮影ガイドを表示する制御を行い、
前記合成手段は、前記画像領域に係る断層画像と前記第２の断層画像とを合成して前記合成断層画像を生成することを特徴とする請求項５または６に記載の眼科装置。
【請求項９】
前記被検眼に係る過去の前記合成断層画像が存在する場合、前記第１の撮影制御手段の制御により前記第１の断層画像を撮影する際に、前記過去の合成断層画像に基づいて当該第１の断層画像の撮影位置を案内する撮影ガイドを表示する制御を行う表示制御手段を更に有することを特徴とする請求項１または２に記載の眼科装置。
【請求項１０】
前記被検眼に係る過去の前記合成断層画像が存在する場合、前記第２の撮影制御手段の制御により前記第２の断層画像を撮影する際に、前記過去の合成断層画像に基づいて当該第２の断層画像の撮影位置を案内する撮影ガイドを表示する制御を行う表示制御手段を更に有することを特徴とする請求項１、２、９のいずれか１項に記載の眼科装置。
【請求項１１】
前記参照光の光路長と一致する前記測定光の光路長の位置を、前記被検眼の所定の撮影範囲における前記深さ方向の浅い側に設定し、前記干渉光に基づき得られた観察断層画像において、前記深さ方向の浅い側に当該観察断層画像で得られた層の折り返しがあるか否かを判定する判定手段を更に有し、
前記第１の撮影制御手段および前記第２の撮影制御手段は、前記判定手段によって前記折り返しがあると判定された場合に、それぞれの撮影を制御することを特徴とする請求項１に記載の眼科装置。
【請求項１２】
前記第１の撮影制御手段の制御により前記第１の断層画像を撮影する際に、前記観察断層画像に基づいて当該第１の断層画像の撮影位置を案内する撮影ガイドを表示する制御を行う表示制御手段を更に有することを特徴とする請求項１１に記載の眼科装置。
【請求項１３】
前記第２の撮影制御手段は、前記第２の撮影範囲を前記深さ方向と直交する方向に複数設定し、当該複数の第２の撮影範囲に係る複数の前記第２の断層画像を撮影する制御を行い、
前記合成手段は、前記第１の断層画像と前記複数の第２の断層画像とを合成して前記合成断層画像を生成することを特徴とする請求項１乃至１２のいずれか１項に記載の眼科装置。
【請求項１４】
前記第２の撮影制御手段は、前記第２の撮影範囲を前記深さ方向に複数設定し、当該複数の第２の撮影範囲に係る複数の前記第２の断層画像を撮影する制御を行い、
前記合成手段は、前記第１の断層画像と前記複数の第２の断層画像とを合成して前記合成断層画像を生成することを特徴とする請求項１乃至１２のいずれか１項に記載の眼科装置。
【請求項１５】
前記第１の撮影制御手段および前記第２の撮影制御手段は、それぞれ、前記被検眼の眼底における前記第１の断層画像および前記第２の断層画像を撮影する制御を行うことを特徴とする請求項１乃至１４のいずれか１項に記載の眼科装置。
【請求項１６】
光源から出射された光が測定光と参照光とに分岐された後、前記測定光を被検眼に照射して得られる戻り光と前記参照光とを合波して干渉光を得る合波手段を備える眼科装置の制御方法であって、
前記参照光の光路長と一致する前記測定光の光路長の位置を、前記被検眼の第１の撮影範囲における前記被検眼の深さ方向の深い側に設定し、前記干渉光に基づいて前記第１の撮影範囲に係る第１の断層画像を撮影する制御を行う第１の撮影制御ステップと、
前記参照光の光路長と一致する前記測定光の光路長の位置を、前記第１の撮影範囲よりも前記深さ方向の浅い側に位置し且つ前記第１の撮影範囲と前記深さ方向の深い側で一部重複する第２の撮影範囲における前記深さ方向の浅い側に設定し、前記干渉光に基づいて前記第２の撮影範囲に係る第２の断層画像を撮影する制御を行う第２の撮影制御ステップと、
前記第１の断層画像と前記第２の断層画像とを合成して合成断層画像を生成する合成ステップと、
を有することを特徴とする眼科装置の制御方法。
【請求項１７】
光源から出射された光が測定光と参照光とに分岐された後、前記測定光を被検眼に照射して得られる戻り光と前記参照光とを合波して干渉光を得る合波手段を備える眼科装置の制御方法をコンピュータに実行させるためのプログラムであって、
前記参照光の光路長と一致する前記測定光の光路長の位置を、前記被検眼の第１の撮影範囲における前記被検眼の深さ方向の深い側に設定し、前記干渉光に基づいて前記第１の撮影範囲に係る第１の断層画像を撮影する制御を行う第１の撮影制御ステップと、
前記参照光の光路長と一致する前記測定光の光路長の位置を、前記第１の撮影範囲よりも前記深さ方向の浅い側に位置し且つ前記第１の撮影範囲と前記深さ方向の深い側で一部重複する第２の撮影範囲における前記深さ方向の浅い側に設定し、前記干渉光に基づいて前記第２の撮影範囲に係る第２の断層画像を撮影する制御を行う第２の撮影制御ステップと、
前記第１の断層画像と前記第２の断層画像とを合成して合成断層画像を生成する合成ステップと、
をコンピュータに実行させるためのプログラム。
【発明の詳細な説明】
【技術分野】
【０００１】
本発明は、被検眼を撮影する眼科装置及びその制御方法、並びに、当該制御方法をコンピュータに実行させるためのプログラムに関するものである。
【背景技術】
【０００２】
現在、眼を観察や撮影等するための眼科装置としては、例えば、前眼部撮影装置、眼底カメラ、共焦点レーザー走査検眼鏡（Ｓｃａｎｎｉｎｇ  Ｌａｓｅｒ  Ｏｐｈｔｈａｌｍｏｓｃｏｐｅ：ＳＬＯ）装置、多波長光波干渉を利用した光干渉断層撮影（Ｏｐｔｉｃａｌ  Ｃｏｈｅｒｅｎｃｅ  Ｔｏｍｏｇｒａｐｈｙ：ＯＣＴ）装置等がある。中でも、ＯＣＴ装置は、被写体の断層画像を高解像度に得ることができるため、眼科装置として網膜の専門外来では必要不可欠な装置になりつつあり、また、眼科用だけでなく内視鏡等にも利用されている。
【０００３】
例えば、特許文献１には、ＯＣＴ装置における参照光の光路長と測定光の光路長とが一致する位置を移動して複数の断層画像を撮影し、これらの断層画像を合成することによって被検眼のより深い方向の断層画像を取得する技術が提案されている。
【０００４】
また、例えば、特許文献２には、ＯＣＴ装置で得られる断層画像は参照光の光路長と測定光の光路長が一致する位置の感度が最も高く、その位置から離れるほど感度が低くなるという特徴を考慮して、同一の撮影範囲について参照光の光路長と測定光の光路長とが一致する位置を変えて複数の断層画像を撮影し、これらの断層画像を合成することによってより高画質な断層画像を取得する技術が提案されている。
【先行技術文献】
【特許文献】
【０００５】
【特許文献１】特開２０１０−２１０２６７号公報
【特許文献２】特開２０１０−２９６４８号公報
【発明の概要】
【発明が解決しようとする課題】
【０００６】
被検眼の撮影部位によっては、特許文献１に記載のように、被検眼の深さ方向が異なる複数の撮影範囲を撮影して複数の断層画像を取得し、これらの断層画像を合成することによって被検眼のより深い方向の断層画像を取得する場合がある。この場合、複数の撮影範囲のそれぞれの撮影範囲において参照光の光路長と測定光の光路長とが一致する位置の設定によっては、当該撮影範囲を撮影することにより得られる断層画像に当該断層画像で得られた層の折り返しが発生することがある。そして、この場合、これらの断層画像を合成して得られる合成断層画像にも上述した層の折り返しが生じ、その結果、被検眼の診断に支障をきたす要因となる。
【０００７】
この点、上述した特許文献１及び特許文献２の従来技術では、上述した断層画像に生じ得る層の折り返しについては何ら考慮されていないため、合成断層画像に層の折り返しが生じることを抑制することが困難であった。
【０００８】
本発明は、このような問題点に鑑みてなされたものであり、被検眼の深さ方向が異なる複数の断層画像を撮影してその合成断層画像を生成する際に、合成断層画像に層の折り返しが生じることを抑制できる仕組みを提供することを目的とする。
【課題を解決するための手段】
【０００９】
本発明の眼科装置は、光源から出射された光が測定光と参照光とに分岐された後、前記測定光を被検眼に照射して得られる戻り光と前記参照光とを合波して干渉光を得る合波手段と、前記参照光の光路長と一致する前記測定光の光路長の位置を、前記被検眼の第１の撮影範囲における前記被検眼の深さ方向の深い側に設定し、前記干渉光に基づいて前記第１の撮影範囲に係る第１の断層画像を撮影する制御を行う第１の撮影制御手段と、前記参照光の光路長と一致する前記測定光の光路長の位置を、前記第１の撮影範囲よりも前記深さ方向の浅い側に位置し且つ前記第１の撮影範囲と前記深さ方向の深い側で一部重複する第２の撮影範囲における前記深さ方向の浅い側に設定し、前記干渉光に基づいて前記第２の撮影範囲に係る第２の断層画像を撮影する制御を行う第２の撮影制御手段と、前記第１の断層画像と前記第２の断層画像とを合成して合成断層画像を生成する合成手段と、を有する。
また、本発明は、上述した眼科装置の制御方法、及び、当該制御方法をコンピュータに実行させるためのプログラムを含む。
【発明の効果】
【００１０】
本発明によれば、被検眼の深さ方向が異なる複数の断層画像を撮影してその合成断層画像を生成する際に、合成断層画像に層の折り返しが生じることを抑制することができる。
【図面の簡単な説明】
【００１１】
【図１】本発明の実施形態に係る眼科装置の全体構成の一例を示す図である。
【図２】本発明の実施形態を示し、図１に示す測定部及びベース部の内部構成の一例を示す図である。
【図３】図１に示す脈絡膜モード撮影制御部による脈絡膜モードの撮影制御を説明するための模式図である。
【図４】図１に示す脈絡膜モード撮影制御部による脈絡膜モードの撮影制御を説明するための模式図である。
【図５】図１に示す硝子体モード撮影制御部による硝子体モードの撮影制御を説明するための模式図である。
【図６】図１に示す硝子体モード撮影制御部による硝子体モードの撮影制御を説明するための模式図である。
【図７】本発明の実施形態を示し、被検眼が強度近視眼である場合の撮影方法を説明するための図である。
【図８】図７に示す２つの撮影範囲における２回の撮影を脈絡膜モードで撮影した場合の一例を示す図である。
【図９】図７に示す２つの撮影範囲における２回の撮影を硝子体モードで撮影した場合の一例を示す図である。
【図１０】本発明の実施形態に係る眼科装置の制御方法における第１の処理手順例を示すフローチャートである。
【図１１】本発明の実施形態を示し、図１に示す表示制御部による撮影ガイドの第１の表示制御例を示す図である。
【図１２】本発明の実施形態に係る眼科装置の制御方法における第２の処理手順例を示すフローチャートである。
【図１３】本発明の実施形態を示し、図１に示す表示制御部による撮影ガイドの第２の表示制御例を示す図である。
【図１４】本発明の実施形態に係る眼科装置の制御方法における第３の処理手順例を示すフローチャートである。
【図１５】本発明の実施形態の変形例を示し、図１に示す表示制御部による撮影ガイドの第３の表示制御例を示す図である。
【発明を実施するための形態】
【００１２】
以下に、図面を参照しながら、本発明を実施するための形態（実施形態）について説明する。
【００１３】
＜眼科装置１０の全体構成＞
図１は、本発明の実施形態に係る眼科装置１０の全体構成の一例を示す図である。眼科装置１０は、図１に示すように、測定部１００、制御・処理部２００、入力部３００、表示部４００、ステージ部５００、ベース部６００、及び、顔受け部７００を有して構成されている。
【００１４】
測定部１００は、制御・処理部２００の制御に基づいて、光を被検眼（より詳細に、本実施形態では被検眼の眼底）に照射し、被検眼から反射・散乱してくる戻り光を検出して、各種の画像信号を取得する。
【００１５】
制御・処理部２００は、眼科装置１０の動作を統括的に制御するとともに、各種の処理を行う。例えば、制御・処理部２００は、測定部１００や表示部４００、ステージ部５００、ベース部６００の制御を行うとともに、測定部１００で得られた各種の画像信号に対して所定の画像処理等を行う。この制御・処理部２００は、図１に示すように、脈絡膜モード撮影制御部２１０、硝子体モード撮影制御部２２０、画像処理部２３０、画像合成部２４０、表示制御部２５０、及び、記憶部２６０を有して構成されている。この制御・処理部２００に構成された各構成部２１０〜２６０の説明については、後述する。
【００１６】
入力部３００は、制御・処理部２００に対して各種の情報を入力する。この入力部３００は、例えば、検者が操作を行うキーボードやマウス等から構成されている。
【００１７】
表示部４００は、制御・処理部２００の制御に基づいて、各種の画像や各種の情報等を表示する処理を行う。
【００１８】
ステージ部５００は、制御・処理部２００の制御に基づき不図示のモータを介して、測定部１００を図１のＸ方向、Ｙ方向、Ｚ方向に移動させる。
【００１９】
ベース部６００は、ステージ部５００を介して測定部１００を支持するとともに、顔受け部７００を支持するものである。また、このベース部６００は、図２に示す分光器６１０を内蔵している。
【００２０】
顔受け部７００は、被検者の顔を受けて被検者の顎と額を固定することにより、被検者の眼の固定を促すものである。
【００２１】
≪測定部１００及びベース部６００の内部構成≫
図２は、本発明の実施形態を示し、図１に示す測定部１００及びベース部６００の内部構成の一例を示す図である。
【００２２】
まず、図２に示す測定部１００の内部構成について説明する。
【００２３】
図２に示す測定部１００では、被検眼Ｅに対向して対物レンズ１０１が設置され、その光軸上に第１のダイクロイックミラー１０２及び第２のダイクロイックミラー１０３が配置されている。この第１のダイクロイックミラー１０２及び第２のダイクロイックミラー１０３によって、光が、ＯＣＴ光学系の光路Ｌ１、被検眼Ｅの観察と２次元画像の取得とを兼ねるＳＬＯ光学系及び固視標光学系の光路Ｌ２、及び、前眼観察光学系の光路Ｌ３とに波長帯域ごとに分岐される。
【００２４】
具体的に、ＳＬＯ光学系及び固視標光学系の光路Ｌ２は、例えば、被検眼Ｅの眼底Ｅｆを観察するために眼底正面画像（ＳＬＯ画像）を撮像するためのＳＬＯ光学系、及び、眼底Ｅｆに対して固視標を提示する固視標光学系の光路である。また、ＯＣＴ光学系の光路Ｌ１は、例えば、被検眼Ｅの眼底Ｅｆにおける断層画像（ＯＣＴ画像）を撮像するためのＯＣＴ光学系の光路である。また、前眼観察光学系の光路Ｌ３は、被検眼Ｅの前眼部を観察するために前眼部画像を撮像するための前眼観察光学系の光路である。
【００２５】
まず、ＳＬＯ光学系及び固視標光学系の光路Ｌ２について説明する。
【００２６】
光路Ｌ２には、ＳＬＯ走査手段１２６、レンズ１２５及び１２４、ミラー１２３、フォトダイオード１２７、第３のダイクロイックミラー１２２、ＳＬＯ光源１２０、固視灯（固視標用光源）１２１が配置されている。
【００２７】
ミラー１２３は、穴あきミラーや中空のミラーが蒸着されたプリズムであり、ＳＬＯ光源１２０による照明光と、被検眼Ｅからの戻り光とを分離する。第３のダイクロイックミラー１２２は、光路Ｌ２に対して、ＳＬＯ光源１２０による照明光と固視灯１２１による固視光とを波長帯域ごとに分離して出力する。
【００２８】
ＳＬＯ走査手段１２６は、ＳＬＯ光源１２０による照明光と固視灯１２１による固視光とを被検眼Ｅの眼底Ｅｆ上で走査するものである。このＳＬＯ走査手段１２６は、図２のＸ方向に走査するＸスキャナと、図２のＹ方向に走査するＹスキャナを有して構成されている。本実施形態では、Ｘスキャナは、例えばＳＬＯ走査手段１２６における主走査方向の走査を担うスキャナであり、高速走査を行う必要があるため、例えばポリゴンミラーで構成されている。また、Ｙスキャナは、例えばＳＬＯ走査手段１２６における副走査方向の走査を担うスキャナであり、例えばガルバノミラーによって構成されている。
【００２９】
レンズ１２５は、ＳＬＯ光源１２０による照明光及び固視灯１２１による固視光の焦点合わせのため、例えば不図示のモータによって駆動される。ＳＬＯ光源１２０は、例えば７８０ｎｍ付近の波長の光を発生する。固視灯１２１は、可視光である固視光を被検眼Ｅに照射することにより、被検眼Ｅの眼底Ｅｆに当該固視光に基づく固視標を提示して、被検眼の固視を促すためのものである。
【００３０】
ＳＬＯ光源１２０から発せられた照明光は、第３のダイクロイックミラー１２２で反射され、ミラー１２３を通過した後、レンズ１２４、１２５を通り、ＳＬＯ走査手段１２６によって、被検眼Ｅの眼底Ｅｆ上で走査される。そして、被検眼Ｅの眼底Ｅｆからの戻り光は、照明光と同じ経路を辿った後、ミラー１２３によって反射され、フォトダイオード１２７へと導かれる。フォトダイオード１２７は、被検眼Ｅの眼底Ｅｆからの戻り光を検出して、ＳＬＯ画像信号を取得する。
【００３１】
また、固視灯１２１から発せられた固視光は、第３のダイクロイックミラー１２２、ミラー１２３を透過した後、レンズ１２４、１２５を通り、ＳＬＯ走査手段１２６によって、被検眼Ｅの眼底Ｅｆ上で走査される。このとき、ＳＬＯ走査手段１２６の動きに合わせて固視灯１２１を点滅させることによって、被検眼Ｅの眼底Ｅｆ上の任意の位置に任意の形状の固視標を形成することが可能になり、被検者の固視を促すことができる。
【００３２】
続いて、ＯＣＴ光学系の光路Ｌ１について説明する。
【００３３】
ＯＣＴ光学系の光路Ｌ１は、被検眼Ｅを光干渉断層撮影するための光学系であるＯＣＴ光学系１３０の光路である。より具体的には、被検眼の断層画像（ＯＣＴ画像）を形成するための干渉信号を得るための光路である。
【００３４】
ＯＣＴ光学系の光路Ｌ１には、まず、ＯＣＴ走査手段１１６、レンズ１１５、レンズ１１４が配置されている。ＯＣＴ走査手段１１６は、ＯＣＴ光源１１０からの光（測定光）を被検眼Ｅの眼底Ｅｒ上で走査するためのＸＹスキャナを具備して構成されている。ＯＣＴ走査手段１１６は、図２に示す例では１枚のミラーとして図示してあるが、例えばＸ方向及びＹ方向の走査を行うガルバノミラーである。レンズ１１５は、光カプラー１１２に接続されている光ファイバー１１１−２から出射されるＯＣＴ光源１１０からの光（測定光）を、被検眼Ｅの眼底Ｅｆに対して焦点合わせするためのフォーカス調整部材である。レンズ１１５は、制御・処理部２００の制御に基づく不図示のモータによって駆動される。
【００３５】
このレンズ１１５による焦点合わせによって、被検眼Ｅの眼底Ｅｆからの戻り光は、同時に、光ファイバー１１１−２の先端にスポット状に結像されて入射されることとなる。さらに、ＯＣＴ光学系の光路Ｌ１には、光カプラー１１２、光ファイバー１１１−１〜１１１−４、ＯＣＴ光源１１０、レンズ１１７、分散補償用ガラス１１８、及び、参照ミラー１１９が配置されている。光ファイバー１１１−１〜１１１−４は、例えば、光カプラー１１２に接続され一体化しているシングルモードの光ファイバーである。また、光ファイバー１１１−４には、ベース部６００の内部構成された分光器６１０が接続されている。以上の構成によって、マイケルソン干渉系が構成されている。
【００３６】
ＯＣＴ光源１１０は、例えば、代表的な低コヒーレント光源であるＳＬＤ（Ｓｕｐｅｒ  Ｌｕｍｉｎｅｓｃｅｎｔ  Ｄｉｏｄｅ）で構成されている。ＯＣＴ光源１１０の光の中心波長は８５５ｎｍ程度であり、波長バンド幅は約１００ｎｍ程度である。ここで、バンド幅は、得られる断層画像の光軸方向の分解能に影響するため、重要なパラメータである。また、ここでは、ＯＣＴ光源１１０としてＳＬＤを適用した例を説明したが、低コヒーレント光が出射できる光源であればよく、例えばＡＳＥ（Ａｍｐｌｉｆｉｅｄ  Ｓｐｏｎｔａｎｅｏｕｓ  Ｅｍｉｓｓｉｏｎ）等を用いることもできる。また、ＯＣＴ光源１１０の光の中心波長は被検眼Ｅを測定することに鑑みると近赤外光が適する。また、ＯＣＴ光源１１０の光の中心波長は、得られる断層画像の横方向の分解能に影響するため、なるべく短波長であることが望ましい。この双方の理由から、本実施形態においては、ＯＣＴ光源１１０の光の中心波長を８５５ｎｍ程度とした。また、本実施形態では、マイケルソン干渉系を適用する例について説明したが、例えばマッハツェンダー干渉系を用いてもよい。例えば、測定光と参照光との光量差に応じて、光量差が大きい場合にはマッハツェンダー干渉系を用い、光量差が比較的小さい場合にはマイケルソン干渉計を用いることが望ましい。
【００３７】
光カプラー１１２は、光ファイバー１１１−１を介してＯＣＴ光源１１０から出射された光を測定光と参照光とに分岐する分岐部材（分岐手段）である。光カプラー１１２で分岐された測定光は、光ファイバー１１１−２及び対物レンズ１０１を介して、観察対象である被検眼Ｅの眼底Ｅｆに向けて出射される。眼底Ｅｒに照射された測定光は、眼底Ｅｒにおいて反射・散乱し、同じ光路を通じて光カプラー１１２に達する。一方、参照光は、光ファイバー１１１−３を経由して、レンズ１１７、分散補償用ガラス１１８を通り、参照ミラー１１９に向けて出射される。参照ミラー１１９に照射された参照光は、参照ミラー１１９で反射して同じ光路を通じて光カプラー１１２に達する。
【００３８】
このようにして、光カプラー１１２に達した測定光と参照光とは、光カプラー１１２において合波されて干渉光となる。即ち、光カプラー１１２は、ＯＣＴ光源１１０から出射された光が測定光と参照光とに分岐された後、測定光を被検眼Ｅに照射して得られる戻り光と参照光とを合波して干渉光を得る合波部材（合波手段）である。ここで、測定光の光路長と参照光の光路長とが、ほぼ同一となったときに干渉を生じる。参照ミラー１１９は、制御・処理部２００の制御に基づく不図示のモータ及び駆動機構によって光軸方向に調整可能に保持されており、被検眼Ｅによって変わる測定光の光路長に参照光の光路長を合わせることが可能となっている。即ち、参照ミラー１１９は、参照光の光路長を調整する参照光調整部材を構成する。
【００３９】
また、光ファイバー１１１−２には測定光側の偏光調整部１１３−１が設けられ、光ファイバー１１１−３には参照光側の偏光調整部１１３−２が設けられている。これらの偏光調整部１１３−１及び１１３−２は、光ファイバーをループ状に引き回した部分を幾つか持ち、このループ状の部分を光ファイバーの長手方向を中心として回動させることで光ファイバーに捩じりを加えて、対応する測定光と参照光の偏光状態を各々調整して合わせることが可能となっている。
【００４０】
続いて、前眼観察光学系の光路Ｌ３について説明する。
【００４１】
前眼観察光学系の光路Ｌ３には、レンズ１３１、スプリットプリズム１３２、レンズ１３３、赤外光を検知する前眼部観察用のＣＣＤ１３４が配置されている。ＣＣＤ１３４は、不図示の前眼観察用照射光源の光の波長、具体的には９７０ｎｍ付近に感度を持つものであり、当該光を検出して前眼部画像信号を取得する。スプリットプリズム１３２は、被検眼Ｅの瞳孔と共役な位置に配置されており、被検眼Ｅに対する測定部１００のＺ方向（前後方向）の距離を、前眼部のスプリット像として検出するためのものである。
【００４２】
次いで、図２に示すベース部６００の内部構成について説明する。
【００４３】
ベース部６００の内部には、分光器６１０が設けられている。この分光器６１０は、レンズ６１１、回折格子６１２、レンズ６１３、及び、ラインセンサ６１４を有して構成されている。
【００４４】
光カプラー１１２で生成された干渉光は、光ファイバー１１１−４を介して分光器６１０に導かれる。具体的に、光ファイバー１１１−４から出射された干渉光は、レンズ６１１を介して平行光となった後、回折格子６１２で分光され、レンズ６１３によってラインセンサ６１４に結像される。ラインセンサ６１４は、この干渉光を検出して、ＯＣＴ画像信号を取得する。
【００４５】
この図２に示す構成により、被検眼Ｅの断層画像（ＯＣＴ画像）を取得することができ、かつ、近赤外光であってもコントラストの高い被検眼Ｅの眼底正面画像（ＳＬＯ画像）を取得することができる。
【００４６】
続いて、被検眼Ｅの断層画像（ＯＣＴ画像）の撮影方法について説明する。
制御・処理部２００は、ＯＣＴ走査手段１１６を制御することで、被検眼Ｅの所定部位の断層画像を撮影することができる。ここで、ＯＣＴ走査手段１１６により測定光を被検眼Ｅに対して走査する軌跡のことをスキャンパターン（走査パターン）と呼ぶ。このスキャンパターンには、例えば、１点を中心として縦横十字にスキャンするクロススキャンや、領域全体を塗りつぶすようにスキャンすることで結果として３次元断層画像を得る３Ｄスキャンなどがある。例えば被検眼Ｅの特定の部位に対して詳細な観察を行いたい場合にはクロススキャンが適しており、また、例えば被検眼Ｅの網膜全体の層構造や層厚を観察したい場合には３Ｄスキャンが適している。
【００４７】
ここでは、３Ｄスキャンを実行した場合の撮影方法を説明する。
まず、ＯＣＴ走査手段１１６は、Ｘ方向に測定光のスキャン（走査）を行い、被検眼ＥにおけるＸ方向の撮影範囲から所定の走査本数の情報をラインセンサ６１４でＯＣＴ画像信号として取得する。続いて、制御・処理部２００は、ラインセンサ６１４で得られたＯＣＴ画像信号を高速フーリエ変換（Ｆａｓｔ  Ｆｏｕｒｉｅｒ  Ｔｒａｎｓｆｏｒｍ：ＦＦＴ）し、得られた信号を濃度情報に変換することによって画像を生成する。この画像をＡスキャン画像と呼ぶ。また、このＡスキャン画像を複数並べた２次元の画像をＢスキャン画像と呼ぶ。制御・処理部２００は、１つのＢスキャン画像を構成するための複数のＡスキャン画像を撮影した後、Ｙ方向のスキャン位置を移動させて再びＸ方向のスキャンを行うことにより、複数のＢスキャン画像を得る。そして、制御・処理部２００は、この複数のＢスキャン画像、或いは複数のＢスキャン画像から構築した３次元断層画像を表示部４００に表示することにより、検者が被検眼Ｅの診断を行うことができる。ここでは、Ｘ方向のＢスキャン画像を複数得ることにより３次元断層画像を取得する例を説明したが、Ｙ方向のＢスキャン画像を複数得ることにより３次元断層画像を取得するようにしてもよい。
【００４８】
次に、図１に示す制御・処理部２００に構成された各構成部２１０〜２６０の説明を行う。
【００４９】
まず、脈絡膜モード撮影制御部２１０について説明する。
図３及び図４は、図１に示す脈絡膜モード撮影制御部２１０による脈絡膜モードの撮影制御を説明するための模式図である。
脈絡膜モード撮影制御部２１０は、光カプラー１１２で分岐した測定光と参照光において、図３に示す、参照光の光路長と一致する測定光の光路長の位置Ｚ１を、被検眼Ｅの撮影範囲Ｃ１０における被検眼Ｅの深さ方向（Ｚ方向）の深い側（脈絡膜側）に設定する。具体的に、脈絡膜モード撮影制御部２１０は、位置Ｚ１が撮影範囲Ｃ１０における被検眼Ｅの深さ方向（Ｚ方向）の深い側に位置するように、参照ミラー１１９の位置を移動する制御を行う。ここで、本明細書において、脈絡膜モードと称しているのは、参照光の光路長と一致する測定光の光路長の位置（Ｚ１）を、撮影範囲における被検眼Ｅの深さ方向（Ｚ方向）の脈絡膜側に設定するモードであるからである。
【００５０】
次いで、脈絡膜モード撮影制御部２１０は、光カプラー１１２で得られた干渉光（より詳細には、ラインセンサ６１４で取得されたＯＣＴ画像信号）に基づいて、撮影範囲Ｃ１０に係る断層画像を撮影する制御を行う。この脈絡膜モードの場合、図４に示すように、位置Ｚ１に対して、Ｚ方向（図４の矢印の方向をプラス方向とする）のマイナス方向に位置する撮影範囲Ｃ１０に実線で示す眼底Ｅｆ（具体的には、網膜の層）の正像が得られ、Ｚ方向のプラス方向に位置する撮影範囲Ｃ１１に点線で示す眼底Ｅｆ（具体的には、網膜の層）の虚像が得られる。脈絡膜モードの撮影では、撮影範囲Ｃ１１側の虚像を断層画像Ｃ１２として取得することが一般的である。なお、本実施形態においては、この態様に限定されるものではなく、例えば撮影範囲Ｃ１０側の正像を断層画像Ｃ１２として取得するようにしてもよい。また、撮影範囲Ｃ１１側の虚像を断層画像Ｃ１２として取得する場合、これを上下反転させて表示部４００に表示するようにする。
【００５１】
続いて、硝子体モード撮影制御部２２０について説明する。
図５及び図６は、図１に示す硝子体モード撮影制御部２２０による硝子体モードの撮影制御を説明するための模式図である。
硝子体モード撮影制御部２２０は、光カプラー１１２で分岐した測定光と参照光において、図５に示す、参照光の光路長と一致する測定光の光路長の位置Ｚ２を、被検眼Ｅの撮影範囲Ｃ２０における被検眼Ｅの深さ方向（Ｚ方向）の浅い側（硝子体側）に設定する。具体的に、硝子体モード撮影制御部２２０は、位置Ｚ２が撮影範囲Ｃ２０における被検眼Ｅの深さ方向（Ｚ方向）の浅い側に位置するように、参照ミラー１１９の位置を移動する制御を行う。ここで、本明細書において、硝子体モードと称しているのは、参照光の光路長と一致する測定光の光路長の位置（Ｚ２）を、撮影範囲における被検眼Ｅの深さ方向（Ｚ方向）の硝子体側に設定するモードであるからである。
【００５２】
次いで、硝子体モード撮影制御部２２０は、光カプラー１１２で得られた干渉光（より詳細には、ラインセンサ６１４で取得されたＯＣＴ画像信号）に基づいて、撮影範囲Ｃ２０に係る断層画像を撮影する制御を行う。この硝子体モードの場合、図６に示すように、位置Ｚ２に対して、Ｚ方向（図６の矢印の方向をプラス方向とする）のプラス方向に位置する撮影範囲Ｃ２０に実線で示す眼底Ｅｆ（具体的には、網膜の層）の正像が得られ、Ｚ方向のマイナス方向に位置する撮影範囲Ｃ２１に点線で示す眼底Ｅｆ（具体的には、網膜の層）の虚像が得られる。硝子体モードの撮影では、撮影範囲Ｃ２０側の正像を断層画像Ｃ２２として取得することが一般的である。なお、本実施形態においては、この態様に限定されるものではなく、例えば撮影範囲Ｃ２１側の虚像を断層画像Ｃ２２として取得するようにしてもよい。また、撮影範囲Ｃ２１側の虚像を断層画像Ｃ２２として取得する場合、これを上下反転させて表示部４００に表示するようにする。
【００５３】
ここで、再び、図１の説明に戻る。
制御・処理部２００は、上述した断層画像の他、更に、フォトダイオード１２７で取得されたＳＬＯ画像信号に基づいて眼底正面画像（ＳＬＯ画像）を生成するとともに、ＣＣＤ１３４で取得された前眼部画像信号に基づいて前眼部画像を生成する処理も行う。
【００５４】
画像処理部２３０は、脈絡膜モード撮影制御部２１０による撮影制御により得られた断層画像や、硝子体モード撮影制御部２２０による撮影制御により得られた断層画像に対して、所定の画像処理を行う。さらに、画像処理部２３０は、制御・処理部２００で生成された眼底正面画像（ＳＬＯ画像）や前眼部画像に対しても、所定の画像処理を行う。
【００５５】
画像合成部２４０は、脈絡膜モード撮影制御部２１０による撮影制御により得られた断層画像と、硝子体モード撮影制御部２２０による撮影制御により得られた断層画像とを合成して、合成断層画像を生成する。
【００５６】
表示制御部２５０は、各種の画像や各種の情報等を表示部４００に表示する制御を行う。具体的に、例えば、表示制御部２５０は、各種の画像として、脈絡膜モード撮影制御部２１０による撮影制御により得られた断層画像や硝子体モード撮影制御部２２０による撮影制御により得られた断層画像、画像合成部２４０で生成された合成断層画像、制御・処理部２００で生成された眼底正面画像（ＳＬＯ画像）及び前眼部画像等を、表示部４００に表示する制御を行う。
【００５７】
記憶部２６０は、各種の画像や各種の情報等を記憶する。例えば、記憶部２６０は、制御・処理部２００に各種の制御及び処理を実行させるためのプログラムや、被検者情報、被検眼Ｅのフォローアップを行うために用いる当該被検眼Ｅに係る過去の画像（上述した合成断層画像を含む各種の画像）等を記憶している。また、例えば、記憶部２６０は、正常眼と比較した上で被検眼Ｅの診断を可能とすべく、正常眼に係る画像（上述した合成断層画像を含む各種の画像）も記憶している。さらに、例えば、記憶部２６０は、制御・処理部２００の各種の制御及び処理により得られた各種の画像（各断層画像、合成断層画像、眼底正面画像及び前眼部画像等）や、各種の情報（被検眼Ｅの撮影パラメータの情報等）を記憶する。
【００５８】
次に、被検眼Ｅが強度近視眼である場合の撮影方法について説明する。
図７は、本発明の実施形態を示し、被検眼Ｅが強度近視眼である場合の撮影方法を説明するための図である。被検眼Ｅが強度近視眼である場合には、被検眼Ｅの網膜の層（網膜層）の湾曲が大きくなるため、図７（ａ）及び図７（ｂ）に示すように、１回の撮影で当該網膜層の全体を撮影することができないこともあり得る。この場合、図７（ａ）に示す被検眼Ｅの深さ方向（Ｚ方向）の深い側の撮影範囲Ｃａと図７（ｂ）に示す被検眼Ｅの深さ方向の浅い側の撮影範囲Ｃｂに一部重複する領域ｗを設けて、撮影範囲Ｃａの撮影と撮影範囲Ｃｂの撮影との２回の撮影を行うことがある。
【００５９】
まず、図７に示す撮影範囲Ｃａ及びＣｂの２回の撮影を脈絡膜モードで撮影した場合について説明する。
図８は、図７に示す２つの撮影範囲Ｃａ及びＣｂにおける２回の撮影を脈絡膜モードで撮影した場合の一例を示す図である。
【００６０】
図８（ａ）に示す撮影範囲Ｃ１０ａは、図７（ａ）に示す深い側の撮影範囲Ｃａに相当する撮影範囲である。そして、図８（ａ）に示す例では、上述した参照光の光路長と一致する測定光の光路長の位置Ｚ１ａを、撮影範囲Ｃ１０ａにおける被検眼Ｅの深さ方向（Ｚ方向）の深い側に設定する。そして、図８（ａ）に示す例では、図４で説明した技術を用いて、図４の撮影範囲Ｃ１１に対応する撮影範囲Ｃ１１ａ側の虚像を断層画像Ｃ１２ａとして取得する例を示している。この図８（ａ）に示す例では、網膜層が位置Ｚ１ａに接しない状態で撮影しているため、断層画像Ｃ１２ａにおける位置Ｚ１ａの側８１０には、当該断層画像Ｃ１２ａで得られた網膜層の折り返しは発生しない。また、図８（ａ）の断層画像Ｃ１２ａにおいて、図７に示す一部重複する領域ｗの側８２０にも、当該断層画像Ｃ１２ａで得られた網膜層の折り返しは発生しない。
【００６１】
図８（ｂ）に示す撮影範囲Ｃ１０ｂは、図７（ｂ）に示す浅い側の撮影範囲Ｃｂに相当する撮影範囲である。そして、図８（ｂ）に示す例では、上述した参照光の光路長と一致する測定光の光路長の位置Ｚ１ａを、撮影範囲Ｃ１０ｂにおける被検眼Ｅの深さ方向（Ｚ方向）の深い側に設定する。そして、図８（ｂ）に示す例では、図４で説明した技術を用いて、図４の撮影範囲Ｃ１１に対応する撮影範囲Ｃ１１ｂ側の虚像を断層画像Ｃ１２ｂとして取得する例を示している。この図８（ｂ）に示す例では、網膜層が位置Ｚ１ｂに接した状態で撮影しているため、断層画像Ｃ１２ｂにおける位置Ｚ１ｂの側８３０には、当該断層画像Ｃ１２ｂで得られた網膜層の折り返し８３１が発生している。また、図８（ｂ）の断層画像Ｃ１２ｂにおいて、位置Ｚ１ｂの側８３０は、図７に示す一部重複する領域ｗの側に相当する。即ち、図８（ｂ）に示す例では、図７に示す一部重複する領域ｗの側に相当する位置Ｚ１ｂの側８３０に、断層画像Ｃ１２ｂで得られた網膜層の折り返し８３１が発生している。
【００６２】
次いで、図７に示す撮影範囲Ｃａ及びＣｂの２回の撮影を硝子体モードで撮影した場合について説明する。
図９は、図７に示す２つの撮影範囲Ｃａ及びＣｂにおける２回の撮影を硝子体モードで撮影した場合の一例を示す図である。
【００６３】
図９（ａ）に示す撮影範囲Ｃ２０ａは、図７（ａ）に示す深い側の撮影範囲Ｃａに相当する撮影範囲である。そして、図９（ａ）に示す例では、上述した参照光の光路長と一致する測定光の光路長の位置Ｚ２ａを、撮影範囲Ｃ２０ａにおける被検眼Ｅの深さ方向（Ｚ方向）の浅い側に設定する。そして、図９（ａ）に示す例では、図６で説明した技術を用いて、図６の撮影範囲Ｃ２０に対応する撮影範囲Ｃ２０ａ側の正像を断層画像Ｃ２２ａとして取得する例を示している。この図９（ａ）に示す例では、網膜層が位置Ｚ２ａに接した状態で撮影しているため、断層画像Ｃ２２ａにおける位置Ｚ２ａの側９１０には、当該断層画像Ｃ２２ａで得られた網膜層の折り返し９１１が発生している。また、図９（ａ）の断層画像Ｃ２２ａにおいて、位置Ｚ２ａの側９１０は、図７に示す一部重複する領域ｗの側に相当する。即ち、図９（ａ）に示す例では、図７に示す一部重複する領域ｗの側に相当する位置Ｚ２ａの側９１０に、断層画像Ｃ２２ａで得られた網膜層の折り返し９１１が発生している。
【００６４】
図９（ｂ）に示す撮影範囲Ｃ２０ｂは、図７（ｂ）に示す浅い側の撮影範囲Ｃｂに相当する撮影範囲である。そして、図９（ｂ）に示す例では、上述した参照光の光路長と一致する測定光の光路長の位置Ｚ２ｂを、撮影範囲Ｃ２０ｂにおける被検眼Ｅの深さ方向（Ｚ方向）の浅い側に設定する。そして、図９（ｂ）に示す例では、図６で説明した技術を用いて、図６の撮影範囲Ｃ２０に対応する撮影範囲Ｃ２０ｂ側の正像を断層画像Ｃ２２ｂとして取得する例を示している。この図９（ｂ）に示す例では、網膜層が位置Ｚ２ｂに接した状態で撮影しているため、断層画像Ｃ２２ｂにおける位置Ｚ２ｂの側９２０には、当該断層画像Ｃ２２ｂで得られた網膜層の折り返し９２１が発生している。一方、断層画像Ｃ２２ｂにおいて、位置Ｚ２ｂの側９２０と反対側９３０には、当該断層画像Ｃ２２ｂで得られた網膜層の折り返しは発生しない。また、図９（ｂ）の断層画像Ｃ２２ｂにおいて、位置Ｚ２ｂの側９２０と反対側９３０は、図７に示す一部重複する領域ｗの側に相当する。即ち、図９（ｂ）に示す例では、図７に示す一部重複する領域ｗの側に相当する反対側９３０には、断層画像Ｃ２２ｂで得られた網膜層の折り返しは発生しない。
【００６５】
＜眼科装置１０の制御方法の処理手順＞
次に、本実施形態に係る眼科装置１０の制御方法の処理手順について説明する。
【００６６】
図１０は、本発明の実施形態に係る眼科装置１０の制御方法における第１の処理手順例を示すフローチャートである。具体的に、図１０に示すフローチャートは、被検眼Ｅが上述した強度近視眼である場合の撮影処理を示している。
【００６７】
図１０のフローチャートが開始されると、まず、ステップＳ１０１において、制御・処理部２００は、被検眼Ｅの撮影モードとして脈絡膜モードを設定し、脈絡膜モード撮影制御部２１０を動作させる。その後、脈絡膜モード撮影制御部２１０は、図８（ａ）を用いて説明したように、参照光の光路長と一致する測定光の光路長の位置Ｚ１ａを、被検眼Ｅの深い側の撮影範囲（第１の撮影範囲）Ｃ１０ａにおける被検眼Ｅの深さ方向（Ｚ方向）の深い側に設定する。
【００６８】
続いて、ステップＳ１０２において、脈絡膜モード撮影制御部２１０は、ステップＳ１０１における位置Ｚ１ａを設定した状態で光カプラー１１２で得られた干渉光（より詳細には、ラインセンサ６１４で取得されたＯＣＴ画像信号）に基づいて、図８（ａ）の撮影範囲Ｃ１０ａに係る断層画像（第１の断層画像）を撮影する制御を行う。この第１の断層画像の撮影制御を行う脈絡膜モード撮影制御部２１０は、本発明における第１の撮影制御手段に相当する構成の一例である。
【００６９】
続いて、ステップＳ１０３において、制御・処理部２００は、被検眼Ｅの撮影モードとして硝子体モードを設定し、硝子体モード撮影制御部２２０を動作させる。その後、硝子体モード撮影制御部２２０は、図９（ｂ）を用いて説明したように、参照光の光路長と一致する測定光の光路長の位置Ｚ２ｂを、上述した撮影範囲（第１の撮影範囲）Ｃ１０ａよりも深さ方向（Ｚ方向）の浅い側に位置し且つ撮影範囲Ｃ１０ａと深さ方向の深い側で一部重複する領域ｗを有する撮影範囲（第２の撮影範囲）Ｃ２０ｂにおける被検眼Ｅの深さ方向（Ｚ方向）の浅い側に設定する。
【００７０】
続いて、ステップＳ１０４において、表示制御部２５０は、ステップＳ１０２で取得した断層画像（第１の断層画像）で得られた層（例えば本実施形態の場合、網膜層）の位置に応じて、硝子体モード撮影制御部２２０の撮影制御による断層画像（第２の断層画像）の撮影位置を案内する撮影ガイドを表示する制御を行う。
【００７１】
以下、図１０に示すフローチャートの処理を行う場合の表示制御部２５０による撮影ガイドの第１の表示制御例について説明する。
図１１は、本発明の実施形態を示し、図１に示す表示制御部２５０による撮影ガイドの第１の表示制御例を示す図である。
【００７２】
図１１（ａ）には、硝子体モード撮影制御部２２０において設定される第２の撮影範囲１１２０が示されている。この第２の撮影範囲１１２０は、図９（ｂ）に示す撮影範囲Ｃ２０ｂに相当する撮影範囲である。また、図１１（ａ）では、第２の撮影範囲１１２０における、上述した一部重複する領域ｗに相当する領域１１３０を示している。以下、この領域１１３０を一部重複する領域として記載する。また、第２の撮影範囲１１２０には、被検眼Ｅの網膜層の観察断層画像も示されている。
【００７３】
また、図１１（ａ）には、表示制御部２５０が、ステップＳ１０２で取得した第１の断層画像で得られた網膜層（図１１（ａ）では不図示）の位置に応じて、硝子体モード撮影制御部２２０の撮影制御による断層画像（第２の断層画像）の撮影位置を案内する撮影ガイド１１３１〜１１３４を表示制御する例を示している。具体的に、図１１（ａ）に示す例では、第２の撮影範囲１１２０の一部重複する領域１１３０に、撮影ガイド１１３１〜１１３４を表示している。表示制御部２５０は、例えば、ステップＳ１０２で取得した第１の断層画像を解析して輝度値が所定値よりも高い部分を網膜層として抽出し、当該抽出した網膜層から所定距離離れた両端の位置に、撮影ガイド１１３１〜１１３４を表示する。この撮影ガイド１１３１〜１１３４の表示により、例えば検者は、硝子体モードの撮影の際に、脈絡膜モードで得られた断層画像の網膜層との関係で、網膜層の位置合わせを容易に行うことができる。
【００７４】
図１１（ｂ）は、図１１（ａ）に対して、ステップＳ１０２で取得した第１の断層画像１１１０を表示した例である。なお、図１１（ｂ）の第１の断層画像１１１０は、ステップＳ１０２で取得された第１の断層画像が図８（ａ）に示す断層画像Ｃ１２ａの場合には、この断層画像Ｃ１２ａを上下反転させて表示したものとなる。また、図１１（ｂ）の第１の断層画像１１１０は、ステップＳ１０２で取得された第１の断層画像が図８（ａ）に示す撮影範囲Ｃ１０ａで得られた断層画像の場合には、この断層画像を表示したものとなる。図１１（ｂ）の場合も、表示制御部２５０は、例えば、ステップＳ１０２で取得した第１の断層画像を解析して輝度値が所定値よりも高い部分を網膜層として抽出し、当該抽出した網膜層から所定距離離れた両端の位置に、撮影ガイド１１３１〜１１３４を表示する。なお、表示制御部２５０は、第２の撮影範囲１１２０の一部重複する領域１１３０を透過表示としてもよい。
【００７５】
図１１（ｃ）は、第２の撮影範囲１１２０に示されている観察断層画像の網膜層が、撮影ガイド１１３１及び１１３２の間、並びに、撮影ガイド１１３３及び１１３４の間に位置しておらず、観察断層画像の網膜層の位置合わせが正しくない場合を示している。具体的に、図１１（ｃ）には、第２の撮影範囲１１２０に示されている観察断層画像の網膜層が、撮影ガイド１１３１〜１１３４に対して左右方向（より具体的には、左方向）にずれている場合を示している。
【００７６】
図１１（ｄ）は、ステップＳ１０２で取得した第１の断層画像１１１０の網膜層の位置が左右方向（より具体的には、右方向）にずれている場合に、第２の撮影範囲１１２０の一部重複する領域１１３０に表示された撮影ガイド１１３１〜１１３４を示している。この場合、この図１１（ｄ）に示す撮影ガイド１１３１〜１１３４に合わせて、第２の撮影範囲１１２０における観察断層画像の網膜層を位置合わせすると、図１１（ｄ）に示すように折り返しが発生してしまい、適切な断層画像を撮影できない場合がある。
【００７７】
この図１１（ｄ）に示す場合、例えば、硝子体モード撮影制御部２２０は、ステップＳ１０２で取得された第１の断層画像１１１０の網膜層の位置に応じて、図１１（ｅ）に示すように、第２の撮影範囲１１２０を左右方向に移動して設定する処理を行う。即ち、硝子体モード撮影制御部２２０は、第１の断層画像１１１０の網膜層の位置に応じて、第２の撮影範囲１１２０を、当該第１の断層画像１１１０に係る第１の撮影範囲に対して被検眼Ｅの深さ方向（Ｚ方向）と直交する方向に移動して設定する処理を行う。この場合、表示制御部２５０は、この第２の撮影範囲１１２０の移動に応じて、図１１（ｅ）に示すように撮影ガイド１１３１〜１１３４を左右方向に移動して表示する制御を行う。この撮影ガイド１１３１〜１１３４の左右方向の移動に関して、本実施形態では、表示制御部２５０が、第１の断層画像を解析して輝度値が所定値よりも高い部分を網膜層として抽出し、当該抽出した網膜層に基づいて撮影ガイド１１３１〜１１３４を表示する。なお、本実施形態では、表示制御部２５０が撮影ガイド１１３１〜１１３４の左右方向の移動を自動で行う形態としたが、本発明においてはこの形態に限定されるものではない。例えば、検者が入力部３００を介して撮影ガイド１１３１〜１１３４の左右方向の移動を手動で行う形態も、本発明に適用可能である。
【００７８】
図１１（ｆ）は、第１の断層画像１１１０の網膜層に、被検眼Ｅの深さ方向（Ｚ方向）と直交する左右方向において傾きがある場合に、第２の撮影範囲１１２０の一部重複する領域１１３０に表示された撮影ガイド１１３１〜１１３４を示している。この場合、この図１１（ｆ）に示す撮影ガイド１１３１〜１１３４に合わせて、第２の撮影範囲１１２０における観察断層画像の網膜層を位置合わせすると、図１１（ｆ）に示すように折り返しが発生してしまい、適切な断層画像を撮影できない場合がある。
【００７９】
この図１１（ｆ）に示す場合、例えば、画像処理部２３０は、ステップＳ１０２で取得された第１の断層画像１１１０から、図１１（ｇ）に示すように、上述した網膜層の傾きが無くなるように当該網膜層を含む画像領域１１１１を切り出す処理を行う。この画像領域１１１１を切り出す処理を行う画像処理部２３０は、本発明における画像切出手段に相当する構成の一例である。そして、この場合、硝子体モード撮影制御部２２０は、図１１（ｈ）に示すように、画像処理部２３０により切り出された画像領域１１１１に基づいて第２の撮影範囲１１２０を設定する処理を行う。そして、この場合、表示制御部２５０は、この第２の撮影範囲１１２０の設定に基づき、画像領域１１１１の網膜層の位置に応じて、図１１（ｈ）に示すように撮影ガイド１１３１〜１１３４を表示する制御を行う。なお、この図１１（ｆ）に示す場合、後述するＳ１０６の処理において、画像合成部２４０は、画像処理部２３０により切り出された画像領域１１１１に係る断層画像と第２の撮影範囲１１２０に係る第２の断層画像とを合成して合成断層画像を生成する形態を採る。なお、本実施形態では、画像処理部２３０が網膜層の傾きが無くなるように画像領域１１１１を自動で切り出す形態としたが、本発明においてはこの形態に限定されるものではない。例えば、検者が入力部３００を介して画像領域１１１１を手動で切り出す形態も、本発明に適用可能である。
【００８０】
ここで、再び、図１０の説明に戻る。
ステップＳ１０４における撮影ガイドの表示が行われ、その後、検者によって第２の撮影範囲における観察断層画像の網膜層の位置合わせがなされて、例えば入力部３００から硝子体モードの撮影指示がなされると、ステップＳ１０５に進む。
ステップＳ１０５に進むと、硝子体モード撮影制御部２２０は、ステップＳ１０３における位置Ｚ２ｂを設定した状態で光カプラー１１２で得られた干渉光（より詳細には、ラインセンサ６１４で取得されたＯＣＴ画像信号）に基づいて、図９（ｂ）の撮影範囲Ｃ２０ｂに係る断層画像（第２の断層画像）を撮影する制御を行う。この第２の断層画像の撮影制御を行う硝子体モード撮影制御部２２０は、本発明における第２の撮影制御手段に相当する構成の一例である。
【００８１】
続いて、ステップＳ１０６において、画像合成部２４０は、ステップＳ１０２で取得された第１の断層画像と、ステップＳ１０５で取得された第２の断層画像とを合成して、合成断層画像を生成する。具体的に、本ステップでは、画像合成部２４０は、第１の断層画像及び第２の断層画像について、図７に示す一部重複する領域ｗに対応する画像領域を重ね合せて合成断層画像を生成する。なお、図１１（ｆ）〜図１１（ｈ）を用いて説明したように、画像処理部２３０において、図１１（ｇ）に示す第１の断層画像１１１０から画像領域１１１１を切り出した場合には、画像合成部２４０は、画像領域１１１１に係る断層画像とステップＳ１０５で取得された第２の断層画像とを合成して合成断層画像を生成する形態を採る。
【００８２】
続いて、ステップＳ１０７において、表示制御部２５０は、ステップＳ１０６で生成された合成断層画像を表示部４００に表示する制御を行う。また、記憶部２６０には、ステップＳ１０６で生成された合成断層画像が記憶される。そして、このステップＳ１０７の処理が終了すると、図１０に示すフローチャートの処理を終了する。
【００８３】
図１２は、本発明の実施形態に係る眼科装置１０の制御方法における第２の処理手順例を示すフローチャートである。具体的に、図１２に示すフローチャートは、被検眼Ｅが上述した強度近視眼である場合であって、被検眼Ｅに係る過去の合成断層画像を用いた被検眼Ｅのフォローアップ撮影を行う場合を示している。この場合、図１２に示すフローチャートの処理を開始するのに際しては、予め記憶部２６０に被検眼Ｅに係る過去の合成断層画像が記憶されているものとする。また、このフォローアップ撮影を行う場合には、図１２に示す強度近視眼用の撮影処理を自動的に実行するようにすることが望ましい。また、図１２において、図１０に示すステップと同様の処理を行うステップについては同じステップ番号を付しており、その詳細な説明は省略する。
【００８４】
図１２のフローチャートが開始されると、まず、ステップＳ１０１において、制御・処理部２００は、被検眼Ｅの撮影モードとして脈絡膜モードを設定し、脈絡膜モード撮影制御部２１０を動作させる。その後、脈絡膜モード撮影制御部２１０は、図８（ａ）を用いて説明したように、参照光の光路長と一致する測定光の光路長の位置Ｚ１ａを、被検眼Ｅの深い側の撮影範囲（第１の撮影範囲）Ｃ１０ａにおける被検眼Ｅの深さ方向（Ｚ方向）の深い側に設定する。
【００８５】
続いて、ステップＳ２０１において、表示制御部２５０は、まず、記憶部２６０から、被検眼Ｅに係る過去の合成断層画像を取得する。そして、表示制御部２５０は、記憶部２６０から取得した被検眼Ｅに係る過去の合成断層画像に基づいて、脈絡膜モード撮影制御部２１０の撮影制御による断層画像（第１の断層画像）の撮影位置を案内する撮影ガイドを表示する制御を行う。
【００８６】
以下、図１２に示すフローチャートの処理を行う場合の表示制御部２５０による撮影ガイドの第２の表示制御例について説明する。
図１３は、本発明の実施形態を示し、図１に示す表示制御部２５０による撮影ガイドの第２の表示制御例を示す図である。
【００８７】
図１３（ａ）には、脈絡膜モード撮影制御部２１０において設定される第１の撮影範囲１３１０が示されている。この第１の撮影範囲１３１０は、図８（ａ）に示す撮影範囲Ｃ１０ａに相当する撮影範囲である。また、図１３（ａ）では、第１の撮影範囲１３１０における、上述した一部重複する領域ｗに相当する領域１３２０を示している。以下、この領域１３２０を一部重複する領域として記載する。
【００８８】
また、図１３（ａ）には、表示制御部２５０が、記憶部２６０から取得した被検眼Ｅに係る過去の合成断層画像から網膜層を抽出し、当該抽出した網膜層に基づいて脈絡膜モード撮影制御部２１０の撮影制御による断層画像（第１の断層画像）の撮影位置を案内する撮影ガイド１３２１〜１３２４を表示制御する例を示している。具体的に、図１３（ａ）に示す例では、第１の撮影範囲１３１０の一部重複する領域１３２０に、撮影ガイド１３２１〜１３２４を表示している。この撮影ガイド１３２１〜１３２４の表示により、例えば検者は、脈絡膜モードの撮影の際に、過去に撮影された被検眼Ｅに係る合成断層画像の網膜層との関係で、網膜層の位置合わせを容易に行うことができる。
【００８９】
図１３（ｂ）は、図１３（ａ）に対して、記憶部２６０から取得した被検眼Ｅに係る過去の合成断層画像１３３０を表示し、合成断層画像１３３０の網膜層との関係で、脈絡膜モードの撮影の際に網膜層の位置合わせをし易くした例である。なお、表示制御部２５０は、第１の撮影範囲１３１０に合成断層画像１３３０を透過表示としてもよい。
【００９０】
ここで、再び、図１２の説明に戻る。
ステップＳ２０１における撮影ガイドの表示が行われ、その後、検者によって第１の撮影範囲における観察断層画像の網膜層の位置合わせがなされて、例えば入力部３００から脈絡膜モードの撮影指示がなされると、ステップＳ１０２に進む。
そして、ステップＳ１０２に進むと、図１２に示すフローチャートの場合、上述した図１０のステップＳ１０２〜ステップＳ１０７の処理を行う。そして、ステップＳ１０７の処理が終了すると、図１２に示すフローチャートの処理を終了する。
【００９１】
ここで、図１２に示すステップＳ１０４では、図１０に示すステップＳ１０４と同様に、表示制御部２５０は、ステップＳ１０２で取得した断層画像（第１の断層画像）で得られた層（例えば本実施形態の場合、網膜層）の位置に応じて、硝子体モード撮影制御部２２０の撮影制御による断層画像（第２の断層画像）の撮影位置を案内する撮影ガイドを表示する制御を行うことになる。なお、本発明においてはこの形態に限定されるものではなく、以下の形態も適用可能である。具体的に、図１２に示すステップＳ１０４において、表示制御部２５０が、図１３（ｃ）に示すように、被検眼Ｅに係る過去の合成断層画像１３３０から網膜層を抽出して当該抽出した網膜層に基づいて硝子体モード撮影制御部２２０の撮影制御による断層画像（第２の断層画像）の撮影位置を案内する撮影ガイド１１３１〜１１３４を表示制御する形態も、本発明に適用可能である。
【００９２】
なお、被検眼Ｅに係る過去の合成断層画像１３３０から被検眼Ｅの網膜層の全体が分かるため、図１２に示すフローチャートの処理において、脈絡膜モード撮影制御部２１０による処理と硝子体モード撮影制御部２２０による処理の順番を逆にしてもよい。
【００９３】
図１４は、本発明の実施形態に係る眼科装置１０の制御方法における第３の処理手順例を示すフローチャートである。具体的に、図１４に示すフローチャートは、被検眼Ｅが、上述した強度近視眼である場合に限らずに正常眼の場合も考慮した撮影処理を示している。
【００９４】
図１４のフローチャートが開始されると、まず、ステップＳ３０１において、制御・処理部２００は、被検眼Ｅの撮影モードとして硝子体モードを設定し、硝子体モード撮影制御部２２０を動作させる。その後、硝子体モード撮影制御部２２０は、図６を用いて説明したように、参照光の光路長と一致する測定光の光路長の位置Ｚ２を、被検眼Ｅの所定の撮影範囲（図６に示す例では、撮影範囲Ｃ２０）における被検眼Ｅの深さ方向（Ｚ方向）の浅い側に設定する。その後、硝子体モード撮影制御部２２０は、位置Ｚ２を設定した状態で光カプラー１１２で得られた干渉光（より詳細には、ラインセンサ６１４で取得されたＯＣＴ画像信号）に基づいて、上述した所定の撮影範囲に係る観察断層画像を取得する。
【００９５】
続いて、ステップＳ３０２において、制御・処理部２００は、ステップＳ３０１で硝子体モード撮影制御部２２０により取得された観察断層画像における被検眼Ｅの深さ方向（Ｚ方向）の浅い側に（即ち、位置Ｚ２の側に）、当該観察断層画像で得られた網膜層の折り返しがあるか否かを判定する処理を行う。この判定処理を行う制御・処理部２００は、本発明における判定手段に相当する構成の一例である。
【００９６】
ステップＳ３０２の判定の結果、ステップＳ３０１で取得された観察断層画像の位置Ｚ２の側に網膜層の折り返しがある場合には（Ｓ３０２／Ｙｅｓ）、強度近視眼用の撮影処理を実行すべく、図１０或いは図１２に示すフローチャートの処理を行う。そして、図１０或いは図１２に示すフローチャートの処理が終了すると、図１４に示すフローチャートの処理を終了する。
【００９７】
一方、ステップＳ３０２の判定の結果、ステップＳ３０１で取得された観察断層画像の位置Ｚ２の側に網膜層の折り返しがない場合には（Ｓ３０２／Ｎｏ）、ステップＳ３０４に進む。
ステップＳ３０４に進むと、硝子体モード撮影制御部２２０は、通常眼用の撮影処理を実行すべく、ステップＳ１０３における位置Ｚ２ｂを設定した状態で光カプラー１１２で得られた干渉光（より詳細には、ラインセンサ６１４で取得されたＯＣＴ画像信号）に基づいて、上述した所定の撮影範囲に係る断層画像を撮影する制御を行う。そして、ステップＳ３０４の処理が終了すると、図１４に示すフローチャートの処理を終了する。
【００９８】
以上説明したように、本実施形態に係る眼科装置１０では、脈絡膜モード撮影制御部２１０（第１の撮影制御手段）は、図８（ａ）を用いて説明したように、参照光の光路長と一致する測定光の光路長の位置Ｚ１ａを、被検眼Ｅの深い側の撮影範囲（第１の撮影範囲）Ｃ１０ａにおける被検眼Ｅの深さ方向（Ｚ方向）の深い側に設定している。そして、脈絡膜モード撮影制御部２１０は、位置Ｚ１ａを設定した状態で光カプラー１１２で得られた干渉光に基づいて、図８（ａ）の撮影範囲Ｃ１０ａに係る断層画像（第１の断層画像）を撮影する制御を行うようにしている。
一方、硝子体モード撮影制御部（第２の撮影制御手段）２２０は、図９（ｂ）を用いて説明したように、参照光の光路長と一致する測定光の光路長の位置Ｚ２ｂを、上述した撮影範囲Ｃ１０ａよりも深さ方向（Ｚ方向）の浅い側に位置し且つ撮影範囲Ｃ１０ａと深さ方向の深い側で一部重複する領域ｗを有する撮影範囲（第２の撮影範囲）Ｃ２０ｂにおける被検眼Ｅの深さ方向（Ｚ方向）の浅い側に設定している。そして、硝子体モード撮影制御部２２０は、位置Ｚ２ｂを設定した状態で光カプラー１１２で得られた干渉光に基づいて、図９（ｂ）の撮影範囲Ｃ２０ｂに係る断層画像（第２の断層画像）を撮影する制御を行うようにしている。
かかる構成によれば、脈絡膜モード撮影制御部２１０による位置Ｚ１ａの設定及び硝子体モード撮影制御部２２０による位置Ｚ２ｂの設定を、それぞれの撮影範囲Ｃ１０ａ及びＣ２０ｂにおいて図７に示す一部重複する領域ｗが存在する側と反対側に設定するようにしたため、それぞれの撮影範囲Ｃ１０ａ及びＣ２０ｂに係る断層画像において一部重複する領域に当該断層画像で得られた網膜層の折り返しが発生することを回避できる。これにより、合成断層画像に網膜層の折り返しが生じることを抑制することができる。
【００９９】
［本発明の実施形態の変形例］
次に、本発明の実施形態の変形例について説明する。
上述した本発明の実施形態では、例えば図１１において、脈絡膜モード撮影制御部２１０による断層画像（第１の断層画像）と硝子体モード撮影制御部２２０による断層画像（第２の断層画像）を、それぞれ１つずつ取得する場合の例を説明した。しかしながら、本発明においてはこの形態に限定されるものではない。例えば、脈絡膜モード撮影制御部２１０による断層画像（第１の断層画像）と硝子体モード撮影制御部２２０による断層画像（第２の断層画像）を、それぞれ複数取得する場合も、本発明に適用可能である。この場合を、本発明の実施形態の変形例として以下に説明する。
【０１００】
図１５は、本発明の実施形態の変形例を示し、図１に示す表示制御部２５０による撮影ガイドの第３の表示制御例を示す図である。この図１５において、図１１に示す構成と同様の構成については同じ符号を付している。
【０１０１】
図１５（ａ）に示す例では、硝子体モード撮影制御部２２０は、第２の撮影範囲１１２０−１及び１１２０−２を被検眼Ｅの深さ方向（Ｚ方向）と直交する方向に複数設定し、当該複数の第２の撮影範囲に係る複数の第２の断層画像を撮影する制御を行う。また、図１５（ａ）に示す例では、表示制御部２５０は、第１の断層画像１１１０で得られた網膜層の位置に応じて、硝子体モード撮影制御部２２０の撮影制御による断層画像（第２の断層画像）の撮影位置を案内する撮影ガイド１１３１〜１１３４を表示制御する。具体的に、図１５（ａ）に示す例では、表示制御部２５０は、第２の撮影範囲１１２０−１及び１１２０−２の一部重複する領域１１３０に、撮影ガイド１１３１〜１１３４を表示している。より詳細に、図１５（ａ）に示す例では、第２の撮影範囲１１２０−１の一部重複する領域１１３０に撮影ガイド１１３１及び１１３２を表示し、第２の撮影範囲１１２０−２の一部重複する領域１１３０に撮影ガイド１１３３及び１１３４を表示している。そして、図１５（ａ）に示す例では、画像合成部２４０は、第１の断層画像１１１０と、第２の撮影範囲１１２０−１及び１１２０−２に係る複数の第２の断層画像とを合成して、合成断層画像を生成する。具体的に、図１５（ａ）に示す例では、画像合成部２４０は、第１の断層画像１１１０及び複数の第２の断層画像について、図１５（ａ）に示す一部重複する領域１１３０に対応する画像領域を重ね合せて合成断層画像を生成する。
【０１０２】
図１５（ｂ）に示す例では、硝子体モード撮影制御部２２０は、第２の撮影範囲１１２０及び１１４０を被検眼Ｅの深さ方向（Ｚ方向）に複数設定し、当該複数の第２の撮影範囲に係る複数の第２の断層画像を撮影する制御を行う。図１５（ｂ）に示す例では、第２の撮影範囲１１４０は、第１の断層画像１１１０に係る第１の撮影範囲よりも被検眼Ｅの深さ方向（Ｚ方向）の浅い側に位置し且つ他の第２の撮影範囲１１２０と被検眼Ｅの深さ方向の深い側で一部重複する撮影範囲である。また、図１５（ｂ）に示す例では、表示制御部２５０は、第１の断層画像１１１０で得られた網膜層の位置に応じて、第２の撮影範囲１１２０に係る第２の断層画像の撮影位置を案内する撮影ガイド１１３１〜１１３４を表示制御する。さらに、図１５（ｂ）に示す例では、表示制御部２５０は、第２の撮影範囲１１２０に係る第２の断層画像で得られた網膜層の位置に応じて、第２の撮影範囲１１４０に係る第２の断層画像の撮影位置を案内する撮影ガイド１１５１〜１１５４を表示制御する。この際、図１５（ｂ）に示す例では、第２の撮影範囲１１４０の一部重複する領域１１５０に撮影ガイド１１５１〜１１５４を表示している。そして、図１５（ｂ）に示す例では、画像合成部２４０は、第１の断層画像１１１０と、第２の撮影範囲１１２０−１及び１１２０−２に係る複数の第２の断層画像とを合成して、合成断層画像を生成する。具体的に、図１５（ａ）に示す例では、画像合成部２４０は、第１の断層画像１１１０及び複数の第２の断層画像について、図１５（ｂ）に示す一部重複する領域１１３０及び１１５０に対応する画像領域を重ね合せて合成断層画像を生成する。
【０１０３】
なお、図１５（ｂ）に示す例の場合、第２の撮影範囲１１２０では参照光の光路長と一致する測定光の光路長の位置を被検眼Ｅの深さ方向の浅い側（図１５（ｂ）に示す一部重複する領域１１５０が存在する側）に設定している。このため、第２の撮影範囲１１２０に係る第２の断層画像では、被検眼Ｅの深さ方向の浅い側（図１５（ｂ）に示す一部重複する領域１１５０が存在する側）に、当該第２の断層画像で得られた網膜層の折り返しが発生することが想定される。一方、第２の撮影範囲１１４０では参照光の光路長と一致する測定光の光路長の位置を被検眼Ｅの深さ方向の浅い側（図１５（ｂ）に示す一部重複する領域１１５０が存在する側と反対側）に設定している。このため、第２の撮影範囲１１４０に係る第２の断層画像では、図１５（ｂ）に示す一部重複する領域１１５０が存在する側には、当該第２の断層画像で得られた網膜層の折り返しは発生しない。そこで、この場合、例えば、画像合成部２４０は、一部重複する領域１１５０については第２の撮影範囲１１２０に係る第２の断層画像の画像データを用いずに第２の撮影範囲１１４０に係る第２の断層画像の画像データを用いて合成断層画像を生成する。これにより、これにより、合成断層画像に網膜層の折り返しが生じることを抑制することができる。
【０１０４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【０１０５】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１０６】
１０：眼科装置、１００：測定部、２００：制御・処理部、２１０：脈絡膜モード撮影制御部、２２０：硝子体モード撮影制御部、２３０：画像処理部、２４０：画像合成部、２５０：表示制御部、２６０：記憶部、３００：入力部、４００：表示部、５００：ステージ部、６００：ベース部、７００：顔受け部
【図１】
2018201567.tif 000003
【図２】
2018201567.tif 000004
【図３】
2018201567.tif 000005
【図４】
2018201567.tif 000006
【図５】
2018201567.tif 000007
【図６】
2018201567.tif 000008
【図７】
2018201567.tif 000009
【図８】
2018201567.tif 000010
【図９】
2018201567.tif 000011
【図１０】
2018201567.tif 000012
【図１１】
2018201567.tif 000013
【図１２】
2018201567.tif 000014
【図１３】
2018201567.tif 000015
【図１４】
2018201567.tif 000016
【図１５】
2018201567.tif 000017